(57)【特許請求の範囲】
【請求項１】
光源を有し前記光源の光を一定の範囲に向けて照射して前記一定の範囲を照明する照明部と、この照明部が上部に首振り可能に支持され設置場所に取り付けられる本体部と、この本体部の下部に設けられ予め定められた検知エリア内への侵入物の侵入を検知する検知センサ部とを備え、前記検知センサ部による侵入物の侵入の検知により前記光源を点灯又は点滅するセンサライトであって、
前記検知センサ部は、３６０°全方向検知センサを内蔵する左右前後対称の３６０°半球ドーム形状とされ、
前記検知センサ部には、前記センサのセンシング機能を制限する材料で成形され、底面部を除く側面部の全周を覆うマスキングパーツが着脱可能に設けられ、
前記マスキングパーツは、周方向において定角度間隔で分離除去可能である複数のマスキング要素を備え、前記マスキング要素を分離除去することで、任意の方向かつ範囲について検知エリアを設定することを特徴とするセンサライト。
【請求項２】
前記検知センサ部は、外表面を構成する前記半球ドーム形状のフレネルレンズを有し、前記フレネルレンズに、前記マスキング要素の境界ラインに対応する区画ラインが形成されていることを特徴とする請求項１に記載のセンサライト。
【請求項３】
前記マスキングパーツは、中心に開口を有する略半球殻形状のマスキング部と、そのマスキング部の周囲に設けられ前記検知センサ部に取り付けられる環状の取付部とを備え、
前記マスキング部は、前記複数のマスキング要素にて形成されていることを特徴とする請求項１または２に記載のセンサライト。
【発明の詳細な説明】
【技術分野】
【０００１】
本発明は、侵入物の検知により光源を点灯又は点滅（フラッシング）する、主として防犯用に使用されるセンサライトに関するものである。
【背景技術】
【０００２】
一般に、センサライトは、光源を有し前記光源の光を一定の範囲に向けて照射して前記一定の範囲を照明する照明部と、検知エリア内への侵入物の侵入を検知する検知センサ部とを備え、前記検知センサ部による侵入物の検知により前記光源を点灯又は点滅する、主として防犯用に使用されるものである。そして、そのようなセンサライトにおいて、前記照明部による照射方向を変更あるいは調整できるように構成されたものも知られている（例えば、特許文献１参照）。
【０００３】
そのようなセンサライトは、通常、壁面に取り付けられることが多く、本体部前方を検知エリアとするものが一般的であるが、３６０°全方向検知センサを用い、使用者が希望する方向および範囲の検知エリアを任意に設定したいという要求がある。
【０００４】
そこで、３６０°全方向検知センサを内蔵する左右前後対称の３６０°半球ドーム形状の検知センサ部を採用して、その検知センサ部に、部分的に分離除去可能であるマスキングパーツを設けることが考えられる。このようにすれば、マスキングパーツのうち一部を分離除去すれば、その分離除去した部分に対応する方向および範囲については前記センサによるセンシング可能となるので、検知エリアを任意に設定することができる。
【０００５】
ところで、前方検知型のフレネルレンズに、マスキングシールを直接貼り付けまたは固定し、検知エリアを制限することは知られている。具体的には、検知エリアに対応するマスキングシールの一部を分離除去することにより、検知エリアを設定することになる。つまり、マスキングシールにて覆われている部分は、検知エリアから外れることになる。
【特許文献１】特開平１０−１４４１３４号公報（段落０００９〜００１１および図１）
【発明の開示】
【発明が解決しようとする課題】
【０００６】
検知エリアに対応するマスキングシールの一部を分離除去することにより、検知エリアを設定する場合には、分離除去する部分を間違う場合がある。
【０００７】
検知センサ部は、例えば１８０°回転可能で、さらに俯角を約２０°の範囲で調整可能とすることはできるが、その調整可能な範囲では、分離除去する部分の間違いに対応して調整することができない場合がある。
【０００８】
そこで、発明者は、検知センサ部を、３６０°全方向検知センサを内蔵する左右前後対称の３６０°半球ドーム形状とすると共に、前記検知センサ部に対し、分離除去可能である複数のマスキング要素を備えるマスキングパーツを固定するのではなく、着脱可能に設けるようにすれば、マスキング要素の分離除去を間違っても、取付状態を簡単に変更できることに着想し、本発明をなしたものである。
【０００９】
この発明は、マスキング要素の分離除去を間違っても、マスキングパーツの、検知センサ部への取付状態を簡単に変更できるセンサライトを提供することを目的とする。
【課題を解決するための手段】
【００１０】
請求項１の発明は、光源を有し前記光源の光を一定の範囲に向けて照射して前記一定の範囲を照明する照明部と、この照明部が上部に首振り可能に支持され設置場所に取り付けられる本体部と、この本体部の下部に設けられ予め定められた検知エリア内への侵入物の侵入を検知する検知センサ部とを備え、前記検知センサ部による侵入物の侵入の検知により前記光源を点灯又は点滅するセンサライトであって、前記検知センサ部は、３６０°全方向検知センサを内蔵する左右前後対称の３６０°半球ドーム形状とされ、前記検知センサ部には、前記センサのセンシング機能を制限する材料で成形され、底面部を除く側面部の全周を覆うマスキングパーツが着脱可能に設けられ、前記マスキングパーツは、周方向において定角度間隔で分離除去可能である複数のマスキング要素を備え、前記マスキング要素を分離除去することで、任意の方向かつ範囲について検知エリアを設定することを特徴とする。
【００１１】
このようにすれば、前記マスキング要素を分離除去することで、任意の方向かつ範囲について検知エリアを設定することができ、前記マスキング要素の分離除去を間違った場合にも、マスキングパーツを取り外して、マスキングパーツの取り付けの向きを確認して再度取り付けることで、取付方向を簡単に修正することができる。つまり、マスキング要素の分離除去を間違っても、マスキングパーツの取付状態を簡単に変更することができる。
【００１２】
マスキングパーツは、分離除去可能な複数のマスキング要素を備えるので、一部のマスキング要素を一旦分離除去した後に、また別のマスキング要素を分離除去することもでき、検知エリアの変更も容易である。
【００１３】
請求項２に記載のように、前記検知センサ部は、外表面を構成する前記半球ドーム形状のフレネルレンズを有し、前記フレネルレンズに、前記マスキング要素の境界ラインに対応する区画ラインが形成されている構成とすることができる。
【００１４】
このようにすれば、フレネルレンズに、前記マスキング要素の境界ラインに対応する区画ラインが形成されているので、その区画ラインを利用して、マスキングパーツを着脱可能に取り付けることで検知エリアを精度よく設定することができ、また、取付状態の変更することで検知エリアの変更も簡単に行うことができる。
【００１５】
請求項３に記載のように、前記マスキングパーツは、中心に開口を有する略半球殻形状のマスキング部と、そのマスキング部の周囲に設けられ前記検知センサ部に取り付けられる環状の取付部とを備え、前記マスキング部は、前記複数のマスキング要素にて形成されている構成とすることができる。
【００１６】
このようにすれば、マスキングの一部（単数若しくは複数のマスキング要素）を分離除去することで、使用者が必要とする方向および範囲について検知エリアを確保することができる。また、マスキング部とは別に取付部を備えるので、検知センサ部への取付性を損なうこともない。
【発明の効果】
【００１７】
本発明は、検知センサ部を、３６０°全方向検知センサを内蔵する左右前後対称の３６０°半球ドーム形状とし、その検知センサ部に対して、センサのセンシング機能を制限する材料で成形され分離除去可能である複数のマスキング要素を備えるマスキングパーツを着脱可能に設けているので、一部のマスキング要素を分離除去することで所望の方向および範囲について検知エリアを設定することができる。また、分離除去するマスキング要素を間違っても、マスキングパーツの取付状態を直すことで、前記間違いに対応することができる。
【発明を実施するための最良の形態】
【００１８】
以下、本発明の実施の形態を図面に沿って説明する。
【００１９】
図１は本発明に係るセンサライトの一実施の形態を示す斜視図、図２（ａ）（ｂ）（ｃ）はそれぞれフード部材を取り外した状態の前記センサライトの側面図および正面図、底面図である。
【００２０】
図１および図２（ａ）（ｂ）に示すように、センサライト１は、基本構造は従来のものと同様で、設置場所に取付固定される本体部２と、この本体部２の上部に左右方向及び上下方向に首振り可能に取り付けられた照明部３と、この本体部２の下端部に左右方向及び上下方向に回転可能に取り付けられる検知センサ部４とにより構成され、主として防犯用に使用されるものである。
【００２１】
つまり、検知センサ部４は、予め定められた検知エリア内への侵入物の侵入を検知するもので、センサライト１は、検知センサ部４による侵入物の侵入の検知により照明部３のランプ（ハロゲンランプ、ＬＥＤなど）を点灯又は点滅するようになっている。
【００２２】
また、照明部３には、前記ランプの光の一部の照射方向を規制するフード部を構成するフード部材１１が着脱可能に取り付けられるようになっている。よって、センサライト１を設置する場所に応じて、フード部材１１を照明部３に取り付けた状態で使用するか（図１および図２（ａ）の鎖線参照）、フード部材１１を照明部３から取り外した状態で使用するか（図２（ｂ）（ｃ）参照）を選択して使用することができる。
【００２３】
検知センサ部４は、図２に示す状態でセンサライト１が取り付けられた場合に水平面において、３６０°全方向検知センサを内蔵する左右前後対称の360°半球ドーム型形状とされ、図３に示すように、右回り９０°、左回り９０°で最大180°の範囲で回転可能で、俯角を約20°の範囲で調整可能とされている。この検知センサ部４は、３６０°半球ドーム型形状のフレネルレンズ４ａを有し、このフレネルレンズ４ａの外表面部を、底面部を除き側面部（周面部）を覆うように、前記センサのセンシング機能を制限する（可視光の透過性がよい）材料で成形されるマスキングパーツ２１が着脱可能に取り付けられ、検知エリアの設定を行なう構成とされている。マスキングパーツ２１は、検知センサ部４の調整可能範囲（図３参照）内において、検知センサ部４と一緒に回転する。なお、マスキングパーツ２１は、小動物の通り道や歩道に面した場所での設置など検知させたくないエリアがある場合に使用するもので、マスキングパーツ２１を用いるマスキングを行なわない場合、検知センサ部４は、全方位検知エリアを有するのはいうまでもない。
【００２４】
マスキングパーツ２１は、図４（ａ）〜（ｃ）に示すように、中心に開口２１Ａａを有する略半球殻形状のマスキング部２１Ａと、そのマスキング部２１Ａの周囲に設けられ検知センサ部４（フレネルレンズ４ａ）に取り付けられる環状の取付部２１Ｂとを備える。このマスキング部２１Ａは、周方向において分離除去可能な複数のマスキング要素２１Ａｂにて形成されている。マスキング部２１Ａは、全周において３０°毎に区切ることで１２分割され、分離除去可能である１２個のマスキング要素２１Ａｂを有する構成となっている。なお、フレネルレンズ４ａが１２分割されているため、マスキング部２１Ａも１２分割するようにしているが、フレネルレンズがＮ分割されている場合には、その分割数に対応して、マスキング部２１ＡもＮ分割とし、マスキング部がＮ個のマスキング要素を有することになる。
【００２５】
そして、図５（ａ）に示すように、マスキング部２１Ａのうち検知エリアとすべき部分に存在するマスキング要素２１Ａｂをナイフ３１を用いて分離除去し、そのマスキング要素２１Ａｂを分離除去した部分Ｌ３１を有するマスキングパーツ２１を、図５（ｂ）に示すように、検知センサ部４に着脱可能に取り付ければ、そのマスキング要素２１Ａｂを分離除去した部分Ｌ３１については、検知エリアの制限が解除される。このようにして任意の方向および範囲について検知エリアを設定することができる。
【００２６】
ここで、隣り合うマスキング要素２１Ａｂ同士は薄肉部２１Ａｃで連接されており、マスキング要素２１Ａｂは両側の薄肉部２１Ａｃに対し切り込みを入れうることで、簡単に折り取ることができるようになっている。また、マスキング要素２１Ａｂを備えるマスキング部２１Ａとは別に、検知センサ部４への取付部２１Ｂを備えるので、一部のマスキング要素２１Ａｂを分離除去しても、検知センサ部４への取付けに影響はない。
【００２７】
また、マスキングパーツ２１は平面視円形状で対称形状であるため、使用者の、検知センサ部４への取付ミスを防ぐために、検知センサ部４の前方側にマーク４ｂが付されている（図２（ｃ）参照）。このマーク４ｂを基準にして、検知センサ部４に対し、マスキングパーツ２１が取り付けられる。
【００２８】
また、検知センサ部４の、略半球ドーム形状のフレネルレンズ４ａには、マスキングパーツ２１の各マスキング要素２１Ａｂの薄肉部２１Ａｃ（境界ライン）に対応する区画ライン４ｃが３０°毎に形成されている。よって、マスキングパーツ２１は、検知センサ部４に対し、30°ごとに嵌め変えることが可能であり、目的とする取付位置に取り付けることができる。つまり、区画ライン４ｃを基準として、これに薄肉部２１Ａｃの位置を合わせることで、マスキングパーツ２１の周方向についての位置決めをすることもできる。
【００２９】
このように検知エリアを設定するのは、所望とする検知エリア以外での検知、点灯又は点滅（あるいは警報音の発生）は、使用者は意識的に誤動作と認識するからである。また、使用者が求める検知エリア以外での第三者による感知動作は、その第三者に不快感を持たせるだけでなく、むやみな点灯又は点滅はトラブルの原因ともなるからである。
【００３０】
そこで、使用者が求める範囲（エリア）のみに検知制限する必要があることから、マスキングパーツ２１を用いて、検知エリアを設定あるいは変更できるようにしているのである。なお、マスキングパーツ２１は、検知センサ部４を露出させる開口２１Ａａを中心に有するので、マスキングパーツ２１の取り付けの有無にかかわらず、センサライト１は、下方に検知エリア（図６の検知エリアＳ１参照）を常時有することになる。
【００３１】
使用者は、単数若しくは複数のマスキング要素２１Ａｂを分離除去して、検知方向制限解除を施したマスキングパーツ２１を検知センサ部４に着脱可能に取り付けることにより、マスキング要素２１Ａｂが分離除去されている部分に対応する検知エリアが設定される。ここで、一部のマスキング要素２１Ａｂを分離除去したマスキングパーツ２１は検知センサ部４に嵌め込まれるが、検知センサ部４は回転するので、検知センサ部４側のマーク４ｂが前方になるものとして、マスキング要素２１Ａｂを分離除去した部分が所定の方向に向くように検知センサ部４に取り付けられる。このとき、マスキングパーツ２１側の薄肉部２１Ａｃと、検知センサ部４側の区画ライン４ｃとが位置合わせの際に利用される。
【００３２】
よって、例えば取付高さを２．５ｍとし、センサ部４の仰角０°とすれば、図６に示すように、中心の開口２１Ａａに対応する円形状の検知エリアＳ１（半径３ｍ程度）と、マスキングパーツ２１のマスキング要素２１Ａｂの分離除去により設定される扇状の検知エリアＳ２（半径７ｍ程度の扇形）とで検知エリアが構成される。中心の検知エリアＳ１の周囲の他の部分は、マスキング要素２１Ａｂが分離除去されていない部分に対応し、非検知エリアＳ３（不感帯エリア）となる。
【００３３】
マーク４ｂを付していても使用者が取り付けを間違える場合があり、また、使用者の思い込み等により実際とずれた部分のマスキング要素２１Ａｂを分離除去してしまった場合でも、検知センサ部４を調整可能範囲内で回転させることにより対応することができるが、それでも対応できない場合には、マスキングパーツ２１を取り外し、区画ライン４ｃを参考にして取り付け直すことで、所望の検知エリアを設定することできる。とくに、検知センサ部４を、左右前後対称の360°半球ドーム型形状としているので、マスキングパーツ２１を取り付けるための取付部２１Ｂを環状とすることができ、マスキングパーツ２１の、検知センサ部４への着脱は容易に行うことができる。
【００３４】
また、このようなマスキングパーツ２１を用いるようにすれば、センサライトの後方30°幅のみの直線エリアを検知エリアとすることもできる。つまり、後方の、狭い路地のみを検知エリアとして、左右前方のエリアを非検知エリアとして使用することができる。
【図面の簡単な説明】
【００３５】
【図１】本発明に係るセンサライトの一実施の形態を示す斜視図である。
【図２】（ａ）〜（ｃ）はそれぞれフード部材を取り外した状態の前記センサライトの側面図および正面図、底面図である。
【図３】検知センサ部の調整可動範囲の説明図である。
【図４】（ａ）〜（ｃ）はそれぞれマスキングパーツの斜視図、側面図および底面図である。
【図５】（ａ）（ｂ）はそれぞれマスキングパーツの使用方法の説明図である。
【図６】検知エリアの説明図である。
【符号の説明】
【００３６】
１    センサライト
２    本体部
３    照明部
４    検知センサ部
２１    マスキングパーツ
２１Ａ    マスキング部
２１Ａｂ    マスキング要素
２１Ｂ    取付部
【図１】
0004994215.tif 000002
【図２】
0004994215.tif 000003
【図３】
0004994215.tif 000004
【図４】
0004994215.tif 000005
【図５】
0004994215.tif 000006
【図６】
0004994215.tif 000007